(57)【要約】【課題】袋本体の内容物側からは容易に開封されず、袋本体の開口側からは容易に開封できる嵌合具付き袋体を与える嵌合具、および該嵌合具を有する嵌合具付き袋体の提供を目的とする。【解決手段】帯状の一対の基材１１、１２と、それら基材のそれぞれに長手方向に沿って設けられた雄型嵌合部１３、および雄型嵌合部１３に着脱自在に嵌合する雌型嵌合部１４とを有する嵌合具１０であって、雄型嵌合部１３の頭部１３ｂが、幹部１３ａから両方の側端側にそれぞれ延びる頭部本体１３ｃ、および頭部本体１３ｃの一方の側端側から基材１１に向かって延びる雄側突条部１３ｄとを有し、雌型嵌合部１４のアーム部１４ｃが、先端部分から基材１２に向かって延び、雄型嵌合部１３の幹部１３ａと雄側突条部１３ｄの間に嵌まり得る雌側突条部１４ｅを有している嵌合具１０。また、嵌合具１０を有する嵌合具付き袋体。【選択図】図２
2012055509.tif 000002
【特許請求の範囲】
【請求項１】
帯状の一対の基材と、
一方の基材に長手方向に沿って設けられた、該基材から立ち上がる幹部および該幹部の上部に形成された頭部を有する凸条の雄型嵌合部と、
他方の基材に長手方向に沿って設けられた、前記頭部が嵌まり込む凹部を形成するように該基材から立ち上がるアーム部を有する、前記雄型嵌合部に着脱自在に嵌合する雌型嵌合部と、
を有する嵌合具であって、
前記雄型嵌合部の頭部が、前記幹部から両方の側端側にそれぞれ延びる頭部本体と、該頭部本体の一方の側端側から前記雄型嵌合部が設けられた基材に向かって延びる雄側突条部とを有し、
前記雌型嵌合部における前記頭部の雄側突条部が形成された側のアーム部が、先端部分から該アーム部が設けられた基材に向かって延び、前記雄型嵌合部の幹部と雄側突条部の間に嵌まり得る雌側突条部を有している嵌合具。
【請求項２】
前記雄型嵌合部の頭部における頭頂から雄側突条部の先端までの長さｄ１と、前記雌型嵌合部の凹部の底から前記雌側突条部の先端までの長さｄ２との差（ｄ２−ｄ１）が０以上である、請求項１に記載の嵌合具。
【請求項３】
前記頭部本体と前記雄側突条部とがなす角度αが９０°以上１８０°未満である、請求項１又は２に記載の嵌合具。
【請求項４】
内容物を収容する袋本体と、該袋本体に取り付けられた請求項１〜３のいずれか一項に記載の嵌合具と、を具備する嵌合具付き袋体。
【発明の詳細な説明】
【技術分野】
【０００１】
本発明は、嵌合具および嵌合具付き袋体に関する。
【背景技術】
【０００２】
食品、薬品等の様々な分野において、袋体の開口を開閉自在に封じる嵌合具が取り付けられた嵌合具付き袋体が広く使用されている。このような嵌合具としては、例えば、図９に例示した嵌合具１０１が知られている（例えば、特許文献１、２）。
嵌合具１０１は、一対の帯状の基材１１１、１１２のそれぞれに、雄型嵌合部１２１および該雄型嵌合部１２１に着脱自在に嵌合する雌型嵌合部１２２が、それら基材１１１、１１２の長手方向に沿って設けられている。雄型嵌合部１２１は、基材１１１から立ち上がる幹部１２１ａと、幹部１２１ａの上部に形成された幹部１２１ａよりも大きい頭部１２１ｂとからなる。雌型嵌合部１２２は、基材１１２から円弧状に立ち上がるアーム部１２２ａ、１２２ｂを有し、それらアーム部１２２ａ、１２２ｂにより凹部１２２ｃが形成されている。嵌合具１０１は、雄型嵌合部１２１の頭部１２１ｂを、雌型嵌合部１２２の凹部１２２ｃに嵌め込むことで嵌合できるようになっている。この嵌合具１０１を袋体の内面に取り付け、雄型嵌合部１２１と雌型嵌合部１２２とを着脱させることにより、袋体の開口を繰り返し開閉できる。
【０００３】
また、嵌合具１０１は、雄型嵌合部１２１の頭部１２１ｂにおける基材１１１の側端１１１ａ側が、基材１１１の側端１１１ｂ側よりも小さく設計されている。そのため、雄型嵌合部１２１は、基材１１１の側端１１１ａ側が雌型嵌合部１２２の凹部１２２ｃから抜けやすい。この嵌合具１０１は、内容物を収容する袋本体の内面に、該袋本体に形成する開口側に基材１１１の側端１１１ａ、該袋本体の底側、つまり内容物側に基材１１１の側端１１１ｂが位置するように取り付けられる。これにより、嵌合具１０１を取り付けた嵌合具付き袋体では、袋本体の開口側の端部を把持して、開口側から、雄型嵌合部１２１と雌型嵌合部１２２を容易に脱離させて開封することができる。
【先行技術文献】
【特許文献】
【０００４】
【特許文献１】特開平１０−２６４９４６号公報
【特許文献２】特許第３５２９５０３号公報
【発明の概要】
【発明が解決しようとする課題】
【０００５】
しかし、嵌合具１０１を取り付けた嵌合具付き袋体においては、袋本体内に収容する内容物が多い場合等、袋本体の内圧が高くなった場合に、その内圧によって嵌合具１０１が内容物側から開かれて袋体が開いてしまうことがある。
一方、雄型嵌合部と雌型嵌合部の嵌合強度を高めすぎると、開口側から、雄型嵌合部と雌型嵌合部の嵌合をはずして袋体を開封することが困難となる。
【０００６】
本発明は、袋本体に取り付けて袋本体の開口を開閉自在に封じる嵌合具であって、袋本体の内容物側からは開封されにくく、袋本体の開口側からは容易に開封できる嵌合具の提供を目的とする。
また、本発明は、袋本体の内容物側からは開封されにくく、袋本体の開口側からは容易に開封できる嵌合具を備えた嵌合具付き袋体の提供を目的とする。
【課題を解決するための手段】
【０００７】
本発明は、前記課題を解決するために以下の構成を採用した。
［１］帯状の一対の基材と、
一方の基材に長手方向に沿って設けられた、該基材から立ち上がる幹部および該幹部の上部に形成された頭部を有する凸条の雄型嵌合部と、
他方の基材に長手方向に沿って設けられた、前記頭部が嵌まり込む凹部を形成するように該基材から立ち上がるアーム部を有する、前記雄型嵌合部に着脱自在に嵌合する雌型嵌合部と、
を有する嵌合具であって、
前記雄型嵌合部の頭部が、前記幹部から両方の側端側にそれぞれ延びる頭部本体と、該頭部本体の一方の側端側から前記雄型嵌合部が設けられた基材に向かって延びる雄側突条部とを有し、
前記雌型嵌合部における前記頭部の雄側突条部が形成された側のアーム部が、先端部分から該アーム部が設けられた基材に向かって延び、前記雄型嵌合部の幹部と雄側突条部の間に嵌まり得る雌側突条部を有している嵌合具。
［２］前記雄型嵌合部の頭部における頭頂から雄側突条部の先端までの長さｄ１と、前記雌型嵌合部の凹部の底から前記雌側突条部の先端までの長さｄ２との差（ｄ２−ｄ１）が０以上である、［１］に記載の嵌合具。
［３］前記頭部本体と前記雄側突条部とがなす角度αが９０°以上１８０°未満である、［１］又は［２］に記載の嵌合具。
［４］内容物を収容する袋本体と、該袋本体に取り付けられた［１］〜［３］のいずれか一項に記載の嵌合具と、を具備する嵌合具付き袋体。
【発明の効果】
【０００８】
本発明の嵌合具は、袋本体に取り付けた際、袋本体の内容物側からは開封されにくく、袋本体の開口側からは容易に開封できる嵌合具付き袋体を得ることができる。
また、本発明の嵌合具付き袋体は、袋本体の内容物側からは容易に開封されにくく、袋本体の開口側からは容易に開封できる。
【図面の簡単な説明】
【０００９】
【図１】本発明の嵌合具の一例を示した斜視図である。
【図２】図１の嵌合具を短手方向に沿って切断したときの断面図である。
【図３】図２の嵌合具を嵌合したようすを示した断面図である。
【図４】図３の嵌合具の内容物側を拡大した断面図である。
【図５】本発明の嵌合具付き袋体の一例を示した正面図である。
【図６】図５の嵌合具付き袋体の上部を開封した様子を示した斜視図である。
【図７】図５の嵌合具付き袋体を内容物側から開こうとした様子を示した断面図である。
【図８】図５の嵌合具付き袋体を開口側から開こうとした様子を示した断面図である。
【図９】従来の嵌合具の一例を示した断面図である。
【発明を実施するための形態】
【００１０】
［嵌合具］
以下、本発明の嵌合具の実施形態の一例として、図１〜４に例示した嵌合具１０について詳細に説明する。
本実施形態の嵌合具１０は、図１および図２に示すように、帯状の一対の基材１１、１２と、基材１１に長手方向に沿って設けられた凸条の雄型嵌合部１３と、基材１２に長手方向に沿って設けられた、雄型嵌合部１３に着脱自在に嵌合する雌型嵌合部１４と、を有する。
嵌合具１０は、基材１１、１２の側端１１ａ、１２ａ側が袋本体に形成する開口側に位置し、基材１１、１２の側端１１ｂ、１２ｂ側が袋本体の内容物側に位置するように、袋本体の内面に取り付ける。つまり、袋本体の上部に開口を形成し、該開口を嵌合具１０により開閉自在に封じるようにする場合、袋本体の上部側に基材１１、１２の側端１１ａ、１２ａ、袋本体の底部側に基材１１、１２の側端１１ｂ、１２ｂが位置するように取り付ける。
【００１１】
基材１１は、公知の嵌合具における基材に通常使用される材質の基材が使用でき、単層フィルムからなる基材であってもよく、積層フィルムからなる基材であってもよい。積層フィルムからなる基材１１としては、例えば、雄型嵌合部１３が設けられた側から、耐熱層とヒートシール層が積層されたフィルム等が挙げられる。また、基材１１は、耐熱層とヒートシール層の間にバリア層を有していてもよい。
耐熱層の材質としては、二軸延伸ナイロン、二軸延伸ポリプロピレン等が挙げられる。
ヒートシール層としては、直鎖状低密度ポリエチレン、無延伸ポリプロピレン、エチレン−酢酸ビニル共重合体、アイオノマー等が挙げられる。
バリア層としては、ポリビニルアルコール、環状オレフィン系樹脂等が挙げられる。
単層フィルムからなる基材としては、前記ヒートシール層で挙げた材質の単層フィルム等が挙げられる。
【００１２】
基材１１は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
基材１２は、基材１１と同じ材質の基材が使用でき、積層フィルムからなる基材が好ましい。
基材１１、１２の厚みは、０．１〜０．３ｍｍが好ましい。
【００１３】
雄型嵌合部１３は、基材１１から立ち上がる幹部１３ａと、幹部１３ａの上部に形成された頭部１３ｂとを有している。また、雌型嵌合部１４は、基材１２から立ち上がる首部１４ａと、首部１４ａから円弧状に立ち上がるアーム部１４ｂ、１４ｃとを有しており、それらアーム部１４ｂ、１４ｃにより、雄型嵌合部１３の頭部１３ｂが嵌まり込む凹部１４ｄが形成されている。嵌合具１０は、図３に示すように、雄型嵌合部１３の頭部１３ｂを雌型嵌合部１４の凹部１４ｄに嵌め込むことで、嵌合できるようになっている。
【００１４】
雄型嵌合部１３の頭部１３ｂは、図２および図４に示すように、幹部１３ａから基材１１の両方の側端１１ａ、１１ｂ側にそれぞれ延びた形状の幹部１３ａよりも大きな頭部本体１３ｃと、頭部本体１３ｃにおける基材１１の側端１１ｂ側から基材１１に向かって延びる雄側突条部１３ｄとを有している。つまり、雄型嵌合部１３には、幹部１３ａと雄側突条部１３ｄの間に凹部１３ｅが形成されている。
また、雌型嵌合部１４における、雄型嵌合部１３の頭部１３ｂの雄側突条部１３ｄが形成された側、すなわち基材１２の側端１２ｂ側のアーム部１４ｃは、先端部分から基材１２に向かって延び、雄型嵌合部１３の幹部１３ａと雄側突条部１３ｄの間に嵌まり得る雌側突条部１４ｅを有している。つまり、雌型嵌合部１４は、凹部１４ｄ内における、雌側突条部１４ｅと、アーム部１４ｃにおける基材１２の側端１２ｂ側の部分の間に凹部１４ｆが形成されている。
【００１５】
この例の雄型嵌合部１３と雌型嵌合部１４は、雄型嵌合部１３の頭部１３ｂを雌型嵌合部１４の凹部１４ｄに嵌め込んでいる状態において、例えば内容物が少量の場合等、基材１１、１２の側端１１ａ、１２ａ側及び側端１１ｂ、１２ｂ側が共に広がっていないときには、凹部１４ｄ内において、雄側突条部１３ｄは凹部１４ｆには嵌まっておらず、雌側突条部１４ｅも凹部１３ｅには嵌まっていない。しかし、雄型嵌合部１３の頭部１３ｂを雌型嵌合部１４の凹部１４ｄに嵌め込んでいる状態において、例えば内容物が多いの場合等、基材１１、１２の側端１１ｂ、１２ｂ側が広がった形状となったときには、雄側突条部１３ｄが雌型嵌合部１４の凹部１４ｆに嵌まり込み、雌側突条部１４ｅが雄型嵌合部１３の凹部１３ｅに嵌まり込むことができるようになっている。
【００１６】
ここで、凹部１３ｅの底面、すなわち頭部本体１３ｃにおける幹部１３ａと雄側突条部１３ｄの間の基材１１側の面と、雄側突条部１３ｄの幹部１３ａ側の面とのなす角度をαとする。
雄型嵌合部１３における頭部本体１３ｃと雄側突条部１３ｄとがなす角度αは、雌型嵌合部１４の雌側突条部１４ｅが雄型嵌合部１３の凹部１３ｅに嵌まりやすくなる点から、９０°以上が好ましく、１１０°以上がより好ましく、１３０°以上がさらに好ましい。これにより、基材１１、１２の側端１１ｂ、１２ｂ側を開く力が加わった場合、雌側突条部１４ｅが雄型嵌合部１３の凹部１３ｅに嵌まり込みやすく、雄型嵌合部１３と雌型嵌合部１４の嵌合を維持しやすい。そのため、嵌合具１０を袋本体に取り付けた際、袋本体の内圧が高くなっても袋体が開くことを防ぎやすい。また、前記角度αは、雌側突条部１４ｅが雄型嵌合部１３の凹部１３ｅに嵌まり込んだ際の嵌合強度が向上する点から、１８０°未満が好ましく、１６０°以下がより好ましく、１４０°以下がさらに好ましい。
【００１７】
雌型嵌合部１４の凹部１４ｆの底面と、雌側突条部１４ｅにおける基材１２の側端１２ｂ側の面とがなす角度βは、雌型嵌合部１４の雌側突条部１４ｅが雄型嵌合部１３の凹部１３ｅに嵌まりやすくなる点から、９０°以上が好ましく、１１０°以上がより好ましく、１３０°以上がさらに好ましい。これにより、基材１１、１２の側端１１ｂ、１２ｂ側を開く力が加わった場合、雌側突条部１４ｅが雄型嵌合部１３の凹部１３ｅに嵌まり込みやすく、雄型嵌合部１３と雌型嵌合部１４の嵌合を維持しやすい。そのため、嵌合具１０を袋本体に取り付けた際、袋本体の内圧が高くなっても袋体が開くことを防ぎやすい。また、前記角度βは、雄側突条部１３ｄが雌型嵌合部１４の凹部１４ｆに嵌まり込んだ際の嵌合強度が向上する点から、１８０°未満が好ましく、１６０°以下がより好ましく、１４０°以下がさらに好ましい。
【００１８】
雄型嵌合部１３の頭部１３ｂにおける頭頂から雄側突条部１３ｄの先端までの長さｄ１（図２）と、雌型嵌合部１４の凹部１４ｄの底から雌側突条部１４ｅの先端までの長さｄ２（図２）との差（ｄ２−ｄ１）は、０以上であることが好ましい。つまり、雄型嵌合部１３と雌型嵌合部１４に過剰な力を加えずにいずれも変形していない状態で、かつ雄型嵌合部１３の頭部１３ｂが、雌型嵌合部１４の凹部１４ｄにおいて最も底側に位置するように嵌合させた状態における、雄側突条部１３ｄの先端と雌側突条部１４ｅの先端との距離ａ（図４）は、０以上が好ましい。これにより、雄型嵌合部１３の頭部１３ｂを雌型嵌合部１４の凹部１４ｄに嵌め込むことが容易になる。前記差（ｄ２−ｄ１）が０未満、つまり前記距離ａが０未満であると、雄型嵌合部１３と雌型嵌合部１４を嵌合する際、雄側突条部１３ｄと雌側突条部１４ｅを変形させつつ互いに乗り越えさせ、雌型嵌合部１４の凹部１４ｆと雄型嵌合部１３の凹部１３ｅに嵌め込むのが困難になる。
なお、前記距離ａが０未満とは、雄型嵌合部１３と雌型嵌合部１４に過剰な力を加えずにいずれも変形していない状態で、かつ雄型嵌合部１３の頭部１３ｂが、雌型嵌合部１４の凹部１４ｄにおいて最も底側に位置するように嵌合させた状態において、雄側突条部１３ｄと雌側突条部１４ｅが雌型嵌合部１４の凹部１４ｆと雄型嵌合部１３の凹部１３ｅに嵌まる状態を意味する。
【００１９】
雌型嵌合部１４の凹部１４ｆの底面の幅ｐと、雄側突条部１３ｄの先端部分の幅ｑとの比（ｑ／ｐ）は、雌側突条部１４ｅが雄型嵌合部１３の凹部１３ｅに嵌まり込んだ際の嵌合強度が向上する点から、０．２超が好ましく、０．３以上がより好ましく、０．４以上がさらに好ましい。また、前記比（ｑ／ｐ）は、雌型嵌合部１４の雌側突条部１４ｅが雄型嵌合部１３の凹部１３ｅに嵌まりやすくなる点から、１．０未満が好ましく、０．９以下がより好ましく、０．８以下がさらに好ましい。
【００２０】
頭部本体１３ｃにおける基材１１の側端１１ａ側、すなわち袋本体に取り付けたときに開口側に位置する側は、基材１１の側端１１ｂ側、すなわち袋本体に取り付けたときに内容物側に位置する側よりも小さくなっていることが好ましい。また、頭部本体１３ｃにおける基材１１の側端１１ａ側には、前述した雄側突条部１３ｄのような突条部が形成されていないことが好ましい。これにより、基材１１、１２を側端１１ａ、１２ａ側、すなわち開口側から開いて雄型嵌合部１３と雌型嵌合部１４の嵌合を脱離させることが容易になる。
【００２１】
雄型嵌合部１３および雌型嵌合部１４の材質としては、公知のものが使用でき、例えば、ポリエチレン、ポリプロピレン等のポリオレフィン系樹脂等が挙げられる。雄型嵌合部１３および雌型嵌合部１４は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
【００２２】
［嵌合具付き袋体］
本発明の嵌合具付き袋体は、前述した本発明の嵌合具を備えた袋体である。つまり、本発明の嵌合具付き袋体は、本発明の嵌合具を有している以外は、公知の形態を採用できる。以下、本発明の嵌合具付き袋体の一例として、前述した嵌合具１０を備えた嵌合具付き袋体１（以下、「袋体１」という。）について説明する。ただし、本発明の嵌合具付き袋体は、以下に説明する袋体１には限定されない。
袋体１は、図５に示すように、内容物を収容する袋本体２０と、袋本体２０内の上部に横方向に沿って設けられた嵌合具１０とを有している。袋本体２０は、２枚のフィルム材２１、２２が重ね合わされ、それらの周縁部２３がヒートシールされることで形成されている。また、袋本体２０の上部には、袋本体２０の上部を切断して開封するのを補助する切断補助線２４が幅方向に沿って形成されており、その切断補助線２４の端部にはノッチ２５が形成されている。
袋本体２０は、切断補助線２４に沿って上部を切断して開封することで、図６に示すように、上部に開口２０ａを形成することができるようになっている。
【００２３】
袋本体２０の形状は、この例では矩形である。ただし、袋本体２０の形状は矩形には限定されない。また、袋本体２０の大きさも特に限定されず、袋本体２０に収容する内容物によって適宜選定すればよい。
【００２４】
袋本体２０を形成するフィルム材２１、２２は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、フィルム材２１、２２は、シーラント層のみからなる単層フィルムであってもよい。
【００２５】
嵌合具１０は、図５に示すように、袋本体２０の上部における切断補助線２４の下側の内面に、基材１１の側端１１ａおよび基材１２の側端１２ａが上側を向くようにして、幅方向に沿って取り付けられている。また、嵌合具１０は、図６に示すように、基材１１が袋本体２０のフィルム材２１の内面に取り付けられ、基材１２が袋本体２０のフィルム材２２の内面に取り付けられている。
このように、嵌合具１０は、袋本体２０の上部を切断補助線２４により切断して開封した際に、開口２０ａ側に基材１１、１２の側端１１ａ、１２ａが位置し、袋本体２０の底２６側、すなわち内容物側に基材１１、１２の側端１１ｂ、１２ｂが位置するようになっている。
【００２６】
以下、袋体１における嵌合具１０の作用について説明する。
袋体１から内容物を取り出す際は、ノッチ２５から袋本体２０の上部の切断を開始し、切断補助線２４に沿って切断することで、図６に示すように、袋本体２０の上部に開口２０ａを形成する。内容物を取り出した後は、図２および図３に示すように、嵌合具１０の雄型嵌合部１３と雌型嵌合部１４の嵌合、脱離を繰り返すことで、袋本体２０に形成した開口２０ａを開閉自在に封じることができる。
【００２７】
袋体１は、袋本体２０に形成した開口２０ａを嵌合具１０で封じている状態において、袋本体２０内に収容する内容物が多い場合等、袋本体２０の内圧が高くなった場合でも、その内圧によって嵌合具１０が内容物側から開かれて袋体１が開いてしまうことが抑制される。この要因は、以下に示すとおりである。
図９に例示した従来の嵌合具１０１では、雄型嵌合部１２１の頭部１２１ｂが基材１１１に向けて延びる突起部を有しておらず、頭部１２１ｂの基材１１１側の面はいずれの側端側も平面的になっている。そのため、袋本体の内圧が高くなった場合、その内圧によって雄型嵌合部１２１の頭部１２１ｂが内容物側から引き抜かれて脱離することがある。
これに対し、袋体１においては、雄側突条部１３ｄを有する雄型嵌合部１３と雌側突条部１４ｅを有する雌型嵌合部１４を有する嵌合具１０が、基材１１、１２の側端１１ｂ、１２ｂ側が内容物側となるように取り付けられている。袋体１では、袋本体２０の内圧が高くなって袋本体２０の内容物側のフィルム材２１、２２が開き、基材１１、１２の側端１１ｂ、１２ｂ側が広がると、図７に示すように、雄型嵌合部１３の雄側突条部１３ｄが雌型嵌合部１４の凹部１４ｄ内において凹部１４ｆに嵌まり込み、雌型嵌合部１４の雌側突条部１４ｅが雄型嵌合部１３の凹部１３ｅに嵌まり込んで引っ掛かる。そのため、袋体１の嵌合具１０は、袋本体２０の内圧が高くなっても雄型嵌合部１３が雌型嵌合部１４から脱離しにくく、予期せず袋本体２０の開口２０ａが開いて袋体１から内容物が飛び出ることが抑制される。
【００２８】
一方、袋体１において、袋本体２０の開口２０ａ側の端部を手で把持して開こうとする際は、図８に示すように、基材１１と基材１２が側端１１ａ、１２ａ側から開かれるので、雄型嵌合部１３の頭部１３ｂが基材１１の側端１１ａ側から引き抜かれることになる。このとき、雄型嵌合部１３の雄側突条部１３ｄは、雌型嵌合部１４の凹部１４ｆから離れるように回転（図８では時計回り）するようにして引き抜かれるので、雄型嵌合部１３の雄側突条部１３ｄと雌型嵌合部１４の雌側突条部１４ｅが、互いの凹部１３ｅおよび凹部１４ｆに嵌まらない。そのため、袋体１の嵌合具１０は、袋本体２０の開口２０ａ側からは、容易に雄型嵌合部１３を雌型嵌合部１４から脱離させることができる。
【００２９】
以上説明したように、本発明の嵌合具を使用することで、袋本体の内容物側からは開封されにくく、袋本体の開口側からは容易に開封できる嵌合具付き袋体が得られる。
なお、本発明の嵌合具は、前述した嵌合具１０には限定されない。例えば、雌型嵌合部１４は、基材１２から立ち上がる首部１４ａを有していたが、この首部を有さず、アーム部１４ｂとアーム部１４ｃが基材から直接立ち上がる雌型嵌合部であってもよい。ただし、嵌合強度が高く、より内容物側から開封されにくい点から、首部がない雌型嵌合部を備えた嵌合具よりも、首部１４ａを有する雌型嵌合部１４を備えた嵌合具１０の方が好ましい。これは、前述した首部１４ａを有する雌型嵌合部１４は、アーム部１４ｂ、１４ｃが、首部がない雌型嵌合部に比べて基材１２の動きに追随しにくく、袋本体２０の内圧が高くなって内容物側の基材１２が広がっても、基材１２に追随してアーム部１４ｃが開きにくいためである。
【符号の説明】
【００３０】
１  嵌合具付き袋体
１０  嵌合具
１１、１２  基材
１３  雄型嵌合部
１３ａ  幹部
１３ｂ  頭部
１３ｃ  頭部本体
１３ｄ  雄側突条部
１４  雌型嵌合部
１４ｂ、１４ｃ  アーム部
１４ｄ  凹部
１４ｅ  雌側突条部
２０  袋本体
２０ａ  開口
【図１】
2012055509.tif 000003
【図２】
2012055509.tif 000004
【図３】
2012055509.tif 000005
【図４】
2012055509.tif 000006
【図５】
2012055509.tif 000007
【図６】
2012055509.tif 000008
【図７】
2012055509.tif 000009
【図８】
2012055509.tif 000010
【図９】
2012055509.tif 000011